(57)【要約】【課題】シュート内に残留するリベット部材又は嵌合用部材を目視できるようにしたスナップファスナー取付け機を提供する。【解決手段】リベット部材と、リベット部材の突起を挿通するための貫通孔が形成された嵌合用部材とを、シート状部材の両側に配置し、リベット部材の突起をシート状部材に突き刺すと共に嵌合部材の貫通孔に挿通させ、その突起の先端部を打撃して拡径変形させることにより、リベット部材と嵌合用部材とをシート状部材を挟んだ状態にカシメ止めするようにしたスナップファスナー取付け機において、リベット部材又は嵌合用部材を収容するホッパーと打撃作用部との間に設けられたシュート１３ａ，１３ｂを、幅方向において前後に二つ割された構造とし、互いに連結される前半側シュート部材１３０Ａ及び後半側シュート部材１０Ｂのうち、前半側シュート部材１３０Ａを透明材料製とし、後半側シュート部材１０Ｂを金属製とする。【選択図】図４
0003124434.tif 000002
【実用新案登録請求の範囲】
【請求項１】
リベット部材と、リベット部材の突起を挿通するための貫通孔が形成された雄型又は雌型の嵌合用部材とを、シート状部材の両側に配置し、リベット部材の突起をシート状部材に突き刺すと共に前記嵌合部材の貫通孔に挿通させ、その突起の先端部を打撃して拡径変形させることにより、前記リベット部材と前記嵌合用部材とをシート状部材を挟んだ状態にカシメ止めするようにしたスナップファスナー取付け機において、リベット部材又は嵌合用部材を収容するホッパーと打撃作用部との間に設けられたシュートの少なくとも一部を透明材料で形成して、シュート内に残留するリベット部材又は嵌合用部材を目視できるようにしたことを特徴とするスナップファスナー取付け機。
【請求項２】
リベット部材と、リベット部材の突起を挿通するための貫通孔が形成された雄型又は雌型の嵌合用部材とを、シート状部材の両側に配置し、リベット部材の突起をシート状部材に突き刺すと共に前記嵌合部材の貫通孔に挿通させ、その突起の先端部を打撃して拡径変形させることにより、前記リベット部材と前記嵌合用部材とをシート状部材を挟んだ状態にカシメ止めするようにしたスナップファスナー取付け機において、リベット部材又は嵌合用部材を収容するホッパーと打撃作用部との間に設けられたシュートを、幅方向において前後に二つ割された構造とし、互いに連結される前半側シュート部材及び後半側シュート部材の夫々を透明材料製としたことを特徴とするスナップファスナー取付け機。
【請求項３】
リベット部材と、リベット部材の突起を挿通するための貫通孔が形成された雄型又は雌型の嵌合用部材とを、シート状部材の両側に配置し、リベット部材の突起をシート状部材に突き刺すと共に前記嵌合部材の貫通孔に挿通させ、その突起の先端部を打撃して拡径変形させることにより、前記リベット部材と前記嵌合用部材とをシート状部材を挟んだ状態にカシメ止めするようにしたスナップファスナー取付け機において、リベット部材又は嵌合用部材を収容するホッパーと打撃作用部との間に設けられたシュートを、幅方向において前後に二つ割された構造とし、互いに連結される前半側シュート部材及び後半側シュート部材のうち、前半側シュート部材を透明材料製とし、後半側シュート部材を金属製としたことを特徴とするスナップファスナー取付け機。
【請求項４】
リベット部材を突起が上向きになるように支持する受け具と、その上方に受け具と対向して配置された昇降自在な打込み具と、中央にリベット部材の突起を挿通するための貫通孔が形成された嵌合用部材を収容する第１ホッパーと、リベット部材を収容する第２ホッパーと、第１ホッパーから繰り出された嵌合用部材を流下供給する第１シュートと、第２ホッパーから繰り出されたリベット部材を流下供給する第２シュートと、第１シュートの下端まで流下供給された嵌合用部材を前記打込み具に、第２シュートの下端まで流下供給されたリベット部材を前記受け具に、夫々、送り込む上下二段の押圧用板部を有する前後方向に往復移動可能なプッシャーとを備え、前記打込み具は、昇降駆動手段によって駆動される昇降自在な打込み具本体と、打込み具本体に上下方向スライド自在に装着された嵌合用部材保持用の開閉自在な上部チャックと、打込み具本体に対して上下方向スライド自在で且つ付勢手段により下方へ付勢された筒軸状のガイドパンチと、ガイドパンチの内側に配置され且つ打込み具本体に対して固定されたカシメパンチとを備え、前記受け具は、リベット部材を載置する受け台と、打込み具の下降と所定のタイミングで同期して下降するように構成されたシート状部材位置決め用の開閉自在な下部チャックとを備え、前記受け具と前記打込み具との間にシート状部材を介在させた状態で、打込み具を下降させることにより、前記ガイドパンチで嵌合部材を押し下げて、リベット部材の突起をシート状部材に突き刺すと共に嵌合部材の貫通孔に挿入し、前記カシメパンチで突起先端部を打撃して拡径変形させ、前記リベット部材と前記嵌合用部材とをシート状部材を挟んだ状態にカシメ止めするようにしたスナップファスナー取付け機において、前記第１シュート及び第２シュートを、夫々、幅方向において前後に二つ割された構造とし、前記第１シュート及び第２シュートの互いに連結される前半側シュート部材及び後半側シュート部材の夫々を透明材料製としたことを特徴とするスナップファスナー取付け機。
【請求項５】
リベット部材を突起が上向きになるように支持する受け具と、その上方に受け具と対向して配置された昇降自在な打込み具と、中央にリベット部材の突起を挿通するための貫通孔が形成された嵌合用部材を収容する第１ホッパーと、リベット部材を収容する第２ホッパーと、第１ホッパーから繰り出された嵌合用部材を流下供給する第１シュートと、第２ホッパーから繰り出されたリベット部材を流下供給する第２シュートと、第１シュートの下端まで流下供給された嵌合用部材を前記打込み具に、第２シュートの下端まで流下供給されたリベット部材を前記受け具に、夫々、送り込む上下二段の押圧用板部を有する前後方向に往復移動可能なプッシャーとを備え、前記打込み具は、昇降駆動手段によって駆動される昇降自在な打込み具本体と、打込み具本体に上下方向スライド自在に装着された嵌合用部材保持用の開閉自在な上部チャックと、打込み具本体に対して上下方向スライド自在で且つ付勢手段により下方へ付勢された筒軸状のガイドパンチと、ガイドパンチの内側に配置され且つ打込み具本体に対して固定されたカシメパンチとを備え、前記受け具は、リベット部材を載置する受け台と、打込み具の下降と所定のタイミングで同期して下降するように構成されたシート状部材位置決め用の開閉自在な下部チャックとを備え、前記受け具と前記打込み具との間にシート状部材を介在させた状態で、打込み具を下降させることにより、前記ガイドパンチで嵌合部材を押し下げて、リベット部材の突起をシート状部材に突き刺すと共に嵌合部材の貫通孔に挿入し、前記カシメパンチで突起先端部を打撃して拡径変形させ、前記リベット部材と前記嵌合用部材とをシート状部材を挟んだ状態にカシメ止めするようにしたスナップファスナー取付け機において、前記第１シュート及び第２シュートを、夫々、幅方向において前後に二つ割された構造とし、前記第１シュート及び第２シュートの互いに連結される前半側シュート部材及び後半側シュート部材のうち、前半側シュート部材を透明材料製とし、後半側シュート部材を金属製としたことを特徴とするスナップファスナー取付け機。
【考案の詳細な説明】
【技術分野】
【０００１】
本考案は、合成樹脂製のリベット部材と、リベット部材の突起を挿通するための貫通孔が形成された雄型又は雌型の合成樹脂製の嵌合用部材とを、シート状部材の両側に配置し、リベット部材の突起をシート状部材に突き刺すと共に前記嵌合部材の貫通孔に挿通させ、その突起の先端部を打撃して拡径変形（フランジ付け）させることにより、前記リベット部材と前記嵌合用部材とをシート状部材を挟んだ状態にカシメ止めするようにしたスナップファスナー取付け機に関するものである。
【背景技術】
【０００２】
例えば、合成樹脂製のリベット部材を突起が上向きになるように支持する受け具と、その上方に受け具と対向して配置された昇降自在な打込み具と、中央にリベット部材の突起を挿通するための貫通孔が形成された合成樹脂製の嵌合用部材を収容する第１ホッパーと、リベット部材を収容する第２ホッパーと、第１ホッパーから繰り出された嵌合用部材を流下供給する第１シュートと、第２ホッパーから繰り出されたリベット部材を流下供給する第２シュートと、第１シュートの下端まで流下供給された嵌合用部材を前記打込み具に、第２シュートの下端まで流下供給されたリベット部材を前記受け具に、夫々、送り込む上下二段の押圧用板部を有する前後方向に往復移動可能なプッシャーとを備え、前記打込み具は、昇降駆動手段によって駆動される昇降自在な打込み具本体と、打込み具本体に上下方向スライド自在に装着された嵌合用部材保持用の開閉自在な上部チャックと、打込み具本体に対して上下方向スライド自在で且つ付勢手段により下方へ付勢された筒軸状のガイドパンチと、ガイドパンチの内側に配置され且つ打込み具本体に対して固定されたカシメパンチとを備え、前記受け具は、リベット部材を載置する受け台と、打込み具の下降と所定のタイミングで同期して下降するように構成されたシート状部材位置決め用の開閉自在な下部チャックとを備え、前記受け具と前記打込み具との間にシート状部材を介在させた状態で、打込み具を下降させることにより、前記ガイドパンチで嵌合部材を押し下げて、リベット部材の突起をシート状部材に突き刺すと共に嵌合部材の貫通孔に挿入し、前記カシメパンチで突起先端部を打撃して拡径変形させ、前記リベット部材と前記嵌合用部材とをシート状部材を挟んだ状態にカシメ止めするようにしたスナップファスナー取付け機は、特許文献１等によって既に知られている。
【０００３】
この種のスナップファスナー取付け機は、特許文献１にも記載されているように、受け具と打込み具との間に、例えば、衣服における前身頃の端縁等のシート状部材を介在させた状態で、ペダルを踏み込むと、モータ出力により一回転クラッチを介して駆動される打込み具が下降し、リベット部材と嵌合用部材とをシート状部材を挟んだ状態にカシメ止めした後、打込み具が昇降ストロークの上端まで上昇復帰し、次のリベット部材及び嵌合用部材がプッシャーによって自動的に受け具及び打込み具に送り込まれるので、受け具及び打込み具にリベット部材及び嵌合用部材を手動で供給するいわゆる半自動機に比べると、スナップファスナー取付け作業を能率良く行える利点がある。
【０００４】
ところで、一着の衣服であっても、それに取り付けるスナップファスナーが全て同じものであるとは限らず、例えば、衣服の色模様に合わせて、特定位置のスナップファスナーだけ、リベット部材の色を衣服と同色のものに変えることがある。また、一着の衣服においても、端部では何枚もの布地が重ねられて厚さが厚くなっているのが普通であり、このような厚肉箇所に取り付けるスナップファスナーだけ、突起の長いリベット部材を用いることがある。
【０００５】
このような場合、従来では、色や突起長さの異なるリベット部材を用いる箇所だけ、スナップファスナー取付け作業を残しておき、適当な時点で、例えば、全ての衣服に対する同一スナップファスナーの取付け作業が完了した後、スナップファスナー取付け機の第２ホッパーや第２シュート内に残っているリベット部材を全て取り出し、色や突起長さの異なる別のリベット部材と入れ換えて、スナップファスナー取付け作業を残しておいた箇所にスナップファスナーを取り付けるようにしているが、第２シュート内に残留するリベット部材を目視で確認できないため、シュート内面との拗れなど何らかの原因によってリベット部材が第２シュート内に不測に取り残されると、そのまま、次のスナップファスナー取付け作業を再開してしまうことがあった。
【０００６】
その結果、突起長さの不足によるカシメ不良が生じたり、リベット部材の色違いが生じることになり、工具などを使用して、そのスナップファスナーを破壊することにより衣服から分離し、再度、取付け作業をし直すといった面倒な作業が必要とされた。
【０００７】
また、二つのホッパーのうち、一方に雄型の嵌合用部材を収容し、他方に雌型の嵌合用部材を収容し、両ホッパーに連なる二つのシュートには、夫々、シュート内のガイド溝を開閉するシャッターの操作レバーを設け、リベット部材を手動で受け具に供給し、打込み具に雄型の嵌合用部材と雌型の嵌合用部材を選択的に自動供給する形式のスナップファスナー取付け機においても、雄型の嵌合用部材、雌型の嵌合用部材のどちらかが何らかの原因によってシュート内に不測に取り残されると、同様な問題を招くことになる。
【０００８】
【特許文献１】実用新案登録公報第２５９２６９９号
【考案の開示】
【考案が解決しようとする課題】
【０００９】
本考案は、上記の点に留意してなされたもので、その目的は、シュート内に残留するリベット部材又は嵌合用部材を作業者が目視できるようにしたスナップファスナー取付け機を提供することにある。
【課題を解決するための手段】
【００１０】
上記の目的を達成するために、本考案が講じた技術的手段は、次の通りである。即ち、請求項１に記載の考案は、リベット部材と、リベット部材の突起を挿通するための貫通孔が形成された雄型又は雌型の嵌合用部材とを、シート状部材の両側に配置し、リベット部材の突起をシート状部材に突き刺すと共に前記嵌合部材の貫通孔に挿通させ、その突起の先端部を打撃して拡径変形させることにより、前記リベット部材と前記嵌合用部材とをシート状部材を挟んだ状態にカシメ止めするようにしたスナップファスナー取付け機において、リベット部材又は嵌合用部材を収容するホッパーと打撃作用部との間に設けられたシュートの少なくとも一部を透明材料で形成して、シュート内に残留するリベット部材又は嵌合用部材を目視できるようにしたことを特徴としている。
【００１１】
請求項２に記載の考案は、リベット部材と、リベット部材の突起を挿通するための貫通孔が形成された雄型又は雌型の嵌合用部材とを、シート状部材の両側に配置し、リベット部材の突起をシート状部材に突き刺すと共に前記嵌合部材の貫通孔に挿通させ、その突起の先端部を打撃して拡径変形させることにより、前記リベット部材と前記嵌合用部材とをシート状部材を挟んだ状態にカシメ止めするようにしたスナップファスナー取付け機において、リベット部材又は嵌合用部材を収容するホッパーと打撃作用部との間に設けられたシュートを、幅方向において前後に二つ割された構造とし、互いに連結される前半側シュート部材及び後半側シュート部材の夫々を透明材料製としたことを特徴としている。
【００１２】
請求項３に記載の考案は、リベット部材と、リベット部材の突起を挿通するための貫通孔が形成された雄型又は雌型の嵌合用部材とを、シート状部材の両側に配置し、リベット部材の突起をシート状部材に突き刺すと共に前記嵌合部材の貫通孔に挿通させ、その突起の先端部を打撃して拡径変形させることにより、前記リベット部材と前記嵌合用部材とをシート状部材を挟んだ状態にカシメ止めするようにしたスナップファスナー取付け機において、リベット部材又は嵌合用部材を収容するホッパーと打撃作用部との間に設けられたシュートを、幅方向において前後に二つ割された構造とし、互いに連結される前半側シュート部材及び後半側シュート部材のうち、前半側シュート部材を透明材料製とし、後半側シュート部材を金属製としたことを特徴としている。
【００１３】
請求項４に記載の考案は、リベット部材を突起が上向きになるように支持する受け具と、その上方に受け具と対向して配置された昇降自在な打込み具と、中央にリベット部材の突起を挿通するための貫通孔が形成された嵌合用部材を収容する第１ホッパーと、リベット部材を収容する第２ホッパーと、第１ホッパーから繰り出された嵌合用部材を流下供給する第１シュートと、第２ホッパーから繰り出されたリベット部材を流下供給する第２シュートと、第１シュートの下端まで流下供給された嵌合用部材を前記打込み具に、第２シュートの下端まで流下供給されたリベット部材を前記受け具に、夫々、送り込む上下二段の押圧用板部を有する前後方向に往復移動可能なプッシャーとを備え、前記打込み具は、昇降駆動手段によって駆動される昇降自在な打込み具本体と、打込み具本体に上下方向スライド自在に装着された嵌合用部材保持用の開閉自在な上部チャックと、打込み具本体に対して上下方向スライド自在で且つ付勢手段により下方へ付勢された筒軸状のガイドパンチと、ガイドパンチの内側に配置され且つ打込み具本体に対して固定されたカシメパンチとを備え、前記受け具は、リベット部材を載置する受け台と、打込み具の下降と所定のタイミングで同期して下降するように構成されたシート状部材位置決め用の開閉自在な下部チャックとを備え、前記受け具と前記打込み具との間にシート状部材を介在させた状態で、打込み具を下降させることにより、前記ガイドパンチで嵌合部材を押し下げて、リベット部材の突起をシート状部材に突き刺すと共に嵌合部材の貫通孔に挿入し、前記カシメパンチで突起先端部を打撃して拡径変形させ、前記リベット部材と前記嵌合用部材とをシート状部材を挟んだ状態にカシメ止めするようにしたスナップファスナー取付け機において、前記第１シュート及び第２シュートを、夫々、幅方向において前後に二つ割された構造とし、前記第１シュート及び第２シュートの互いに連結される前半側シュート部材及び後半側シュート部材の夫々を透明材料製としたことを特徴としている。
【００１４】
請求項５に記載の考案は、リベット部材を突起が上向きになるように支持する受け具と、その上方に受け具と対向して配置された昇降自在な打込み具と、中央にリベット部材の突起を挿通するための貫通孔が形成された嵌合用部材を収容する第１ホッパーと、リベット部材を収容する第２ホッパーと、第１ホッパーから繰り出された嵌合用部材を流下供給する第１シュートと、第２ホッパーから繰り出されたリベット部材を流下供給する第２シュートと、第１シュートの下端まで流下供給された嵌合用部材を前記打込み具に、第２シュートの下端まで流下供給されたリベット部材を前記受け具に、夫々、送り込む上下二段の押圧用板部を有する前後方向に往復移動可能なプッシャーとを備え、前記打込み具は、昇降駆動手段によって駆動される昇降自在な打込み具本体と、打込み具本体に上下方向スライド自在に装着された嵌合用部材保持用の開閉自在な上部チャックと、打込み具本体に対して上下方向スライド自在で且つ付勢手段により下方へ付勢された筒軸状のガイドパンチと、ガイドパンチの内側に配置され且つ打込み具本体に対して固定されたカシメパンチとを備え、前記受け具は、リベット部材を載置する受け台と、打込み具の下降と所定のタイミングで同期して下降するように構成されたシート状部材位置決め用の開閉自在な下部チャックとを備え、前記受け具と前記打込み具との間にシート状部材を介在させた状態で、打込み具を下降させることにより、前記ガイドパンチで嵌合部材を押し下げて、リベット部材の突起をシート状部材に突き刺すと共に嵌合部材の貫通孔に挿入し、前記カシメパンチで突起先端部を打撃して拡径変形させ、前記リベット部材と前記嵌合用部材とをシート状部材を挟んだ状態にカシメ止めするようにしたスナップファスナー取付け機において、前記第１シュート及び第２シュートを、夫々、幅方向において前後に二つ割された構造とし、前記第１シュート及び第２シュートの互いに連結される前半側シュート部材及び後半側シュート部材のうち、前半側シュート部材を透明材料製とし、後半側シュート部材を金属製としたことを特徴としている。
【考案の効果】
【００１５】
請求項１に記載の考案によれば、シュート内に残留するリベット部材又は嵌合用部材を目視できる。
【００１６】
請求項２に記載の考案によれば、シュートを、幅方向において前後に二つ割された構造としたので、つまり、シュートを、前半側シュート部材と後半側シュート部材に分割形成し、それを連結する構造としたので、一体物のシュートにリベット部材又は嵌合用部材の断面形状に対応する溝を刻設する場合に比して、シュートの製造が容易であり、しかも、前半側シュート部材及び後半側シュート部材の夫々を透明材料製としたので、シュート内に残留するリベット部材又は嵌合用部材を目視できる。
【００１７】
請求項３に記載の考案によれば、シュートを、幅方向において前後に二つ割された構造としたので、つまり、シュートを、前半側シュート部材と後半側シュート部材に分割形成し、それを連結する構造としたので、一体物のシュートにリベット部材又は嵌合用部材の断面形状に対応するガイド溝を刻設する場合に比して、シュートの製造が容易であり、しかも、前半側シュート部材及び後半側シュート部材のうち、前半側シュート部材を透明材料製とし、後半側シュート部材を金属製としたので、シュート内に残留するリベット部材又は嵌合用部材を目視できる。
【００１８】
殊に、シュートの後半側シュート部材を金属製としたので、前半側シュート部材を透明合成樹脂で製造しても、それに連結された金属製の後半側シュート部材が補強部材となって、透明合成樹脂製前半側シュート部材の温度変化等による変形を防止できる。また、前半側シュート部材及び後半側シュート部材の夫々を透明合成樹脂で製造すると、ネジ孔（雌ネジ状の孔）の加工やネジ止めによる連結が困難になるが、本考案では、後半側シュート部材を金属製としたので、後半側シュート部材に雌ネジ状の孔を加工し、透明合成樹脂製の前半側シュート部材には、それに対応する貫通孔を形成することによって、両シュート部材のネジ止めによる連結が可能であり、この面でも、シュートの製造が容易である。
【００１９】
請求項４に記載の考案によれば、第１シュート及び第２シュートを、夫々、幅方向において前後に二つ割された構造としたので、つまり、第１シュート及び第２シュートの夫々を、前半側シュート部材と後半側シュート部材に分割形成し、それを連結する構造としたので、一体物の第１シュート及び第２シュートに嵌合用部材やリベット部材の断面形状に対応するガイド溝を刻設する場合に比して、第１シュート及び第２シュートの製造が容易であり、しかも、第１シュート及び第２シュートの互いに連結される前半側シュート部材及び後半側シュート部材の夫々を透明材料製としたので、第１シュート内に残留する嵌合用部材や第２シュート内に残留するリベット部材を目視できる。
【００２０】
請求項５に記載の考案によれば、第１シュート及び第２シュートを、夫々、幅方向において前後に二つ割された構造としたので、つまり、第１シュート及び第２シュートの夫々を、前半側シュート部材と後半側シュート部材に分割形成し、それを連結する構造としたので、一体物の第１シュート及び第２シュートに嵌合用部材やリベット部材の断面形状に対応するガイド溝を刻設する場合に比して、第１シュート及び第２シュートの製造が容易であり、しかも、第１シュート及び第２シュートの互いに連結される前半側シュート部材及び後半側シュート部材のうち、前半側シュート部材を透明材料製としたので、第１シュート内に残留する嵌合用部材や第２シュート内に残留するリベット部材を目視できる。
【００２１】
殊に、第１シュート及び第２シュートの後半側シュート部材を夫々金属製としたので、前半側シュート部材を透明合成樹脂で製造しても、それに連結された金属製の後半側シュート部材が補強部材となって、透明合成樹脂製前半側シュート部材の温度変化等による変形を防止できる。また、前半側シュート部材及び後半側シュート部材の夫々を透明合成樹脂で製造すると、ネジ孔（雌ネジ状の孔）の加工やネジ止めによる連結が困難になるが、本考案では、後半側シュート部材を金属製としたので、後半側シュート部材に雌ネジ状の孔を加工し、透明合成樹脂製の前半側シュート部材には、それに対応する貫通孔を形成することによって、両シュート部材のネジ止めによる連結が可能であり、この面でも、第１シュート及び第２シュートの製造が容易である。
【考案を実施するための最良の形態】
【００２２】
図１〜図１２は、本考案に係るスナップファスナー取付け機の一例を示す。これらの図において、１は自立可能な本体フレームであり、本体フレーム１は、ベース２と、ベース２上に立設された中空状の支柱３と、支柱３の上部に連設されたブロック状フレーム４と、ブロック状フレーム４の大部分を被うカバーを兼ねた上部フレーム５等から構成されている。支柱３の一側面には、支柱３に内蔵したモータ（図示せず）の出力軸に伝動ベルトを介して連動連結されたフライホイール（図示せず）が架設されている。
【００２３】
支柱３の内部にはカム軸（図示せず）がフライホイール軸（図示せず）と同芯状に架設されている。フライホイール軸とカム軸との間には、一回転クラッチ（図示せず）が設けられており、カム軸が前記モータにより一回転クラッチを介して回転駆動されるように構成されている。一回転クラッチは、ベース２に設けたペダル７を踏み込むことによって入り操作され、一回転することによって自動的に切り操作されるように構成されている。
【００２４】
ブロック状フレーム４の前端側下部には、合成樹脂製のリベット部材Ａをその突起が上向きになるように支持する受け具８が設けられており、ブロック状フレーム４の前端側上部には、前記受け具８の上方に受け具８と対向して配置された昇降自在な打込み具９が設けられている。そして、受け具８と打込み具９とで、リベット部材Ａの突起先端部を打撃する打撃作用部を構成している。
【００２５】
上部フレーム５の左右両側方には、図１、図２に示すように、上部フレーム５の上端に架設された前後一対の横枠１０の両端に固定した左右一対の縦枠１１が設けられており、右側の縦枠１１には、中央にリベット部材Ａの突起を挿通するための貫通孔が形成された合成樹脂製の嵌合用部材Ｂを収容する第１ホッパー１２ａと、第１ホッパー１２ａから繰り出された嵌合用部材Ｂを流下供給する第１シュート１３ａが設けられており、左側の縦枠１１には、リベット部材Ａを収容する第２ホッパー１２ｂと、第２ホッパー１２ｂから繰り出されたリベット部材Ａを流下供給する第２シュート１３ｂが設けられている。
【００２６】
第１シュート１３ａ及び第２シュート１３ｂは、夫々、必要に応じて流路の断面形状の異なるものと交換できるように、前記縦枠１１に対して着脱交換可能な状態に取り付けられている。また、第２シュート１３ｂは、図３に示すように、第１シュート１３ａよりも後方に配設されており、これによって、打込み具９と受け具８の間に、衣服の端縁などのシート状部材を挿入する十分な作業スペースが形成されている。
【００２７】
第１シュート１３ａ及び第２シュート１３ｂは、夫々、図４、図７〜図１２に示すように、幅方向において前後に二つ割された構造とされている。即ち、第１シュート１３ａ及び第２シュート１３ｂは、何れも、前半側シュート部材１３０Ａと後半側シュート部材１３０Ｂに分割形成され、複数本の頭付きビス６によってネジ止め連結されている。そして、図４に示すように、シュート内部に残存する嵌合用部材Ｂやリベット部材Ａを作業者が前方から目視で確認できるように、前記第１シュート１３ａ及び第２シュート１３ｂの互いに連結される前半側シュート部材１３０Ａ及び後半側シュート部材１３０Ｂのうち、前半側シュート部材１３０Ａを透明合成樹脂、透明ガラス等の透明材料製とし、後半側シュート部材１３０Ｂは、補強部材として機能するように、鉄等の金属製としてある。１３１は後半側シュート部材１３０Ｂに形成されたネジ孔であり、前記頭付きビス６と螺合している。
【００２８】
第１，第２ホッパー１２ａ，１２ｂは、図２に示すように、縦枠１１に軸受を介して回転自在に支持させた横軸１５ａ，１５ｂに固定されている。各横軸１５ａ，１５ｂの内側端部には、一方向の回転を許容するラチェット機構（図示せず）を介してアーム１６ａ，１６ｂが設けられており、当該アーム１６ａ，１６ｂは、上部フレーム５の左右両側面に設けた揺動アーム１７ａ，１７ｂにコイルスプリング１８ａ，１８ｂで連結されている。また、前記アーム１６ａ，１６ｂと上部フレーム５の左右両側面との間には戻し用のコイルスプリング１９ａ，１９ｂが設けられている。そして、揺動アーム１７ａ，１７ｂの往復揺動により、第１，第２ホッパー１２ａ，１２ｂが一方向に間歇的に回転し、この間歇回転によって第１ホッパー１２ａから嵌合用部材Ｂを一定姿勢で繰り出し、第２ホッパー１２ｂからリベット部材Ａを一定姿勢で繰り出すように構成されている。２０ａは嵌合用部材補給口、２０ｂはリベット部材補給口である。
【００２９】
図３に示す２１は、上下二段の押圧用板部２１ａ，２１ｂを有する前後方向に往復移動可能なプッシャーであり、所定厚さの金属板で作製され、第１シュート１３ａの下端まで流下供給された嵌合用部材Ｂを上段の押圧用板部２１ａで前記打込み具９に送り込み、第２シュート１３ｂの下端まで流下供給されたリベット部材Ａを下段の押圧用板部２１ｂで前記受け具８に送り込むように構成されている。
【００３０】
前記打込み具９は、図３に示すように、昇降駆動手段（説明を省略する。）によって駆動される昇降自在な打込み具本体２２と、当該打込み具本体２２に上下方向スライド自在に装着された嵌合用部材保持用の開閉自在な上部チャック２３と、打込み具本体２２に対して上下方向スライド自在で且つ打込み具本体２２との間に介在させたコイルスプリング２４から成る付勢手段により下方へ付勢された筒軸状のガイドパンチ２５と、ガイドパンチ２６の内側に配置され且つ打込み具本体２２に対して固定され、打込み具本体２２と一体に昇降するカシメパンチ２６とを備えている。２７は上部チャック２３を閉じ状態に付勢するバネである。
【００３１】
ガイドパンチ２５及びカシメパンチ２６は、打込み具本体２２に対して着脱交換可能な状態に取り付けられている。即ち、ガイドパンチ２５及びカシメパンチ２６としては、嵌合用部材Ｂが雄型（雄スナップ用）である場合と、嵌合用部材Ｂが雌型（雌スナップ用）である場合とに適合した形状のものが予め用意されており、嵌合用部材Ｂが雄型であるか、雌型であるかにより、交換して使用される。２８はガイドパンチ２５の抜け止めリングであり、打込み具本体２２の下端にねじ込み固着してある。
【００３２】
上部チャック２３は、プッシャー２１の上段の押圧用板部２１ａによって送り込まれた嵌合用部材Ｂを自重で落下しないように弾性的に保持するものであり、打込み具９のガイドパンチ２５で押し下げられた嵌合用部材Ｂによりバネ２７に抗して左右に押し広げられ、嵌合用部材Ｂの保持状態を解くようになっている。２９は上部チャック２３を打込み具本体２２の前面に押し付けることにより、上部チャック２３を打込み具本体２２に摩擦力によって保持させるための押しバネ、３０はそのバネ圧調整用ナット、３１は打込み具本体２２対する上部チャック２３の上昇限界位置を規定するストッパーである。
【００３３】
前記受け具８は、リベット部材Ａを載置する受け台３２と、打込み具９の下降と所定のタイミングで同期して下降するように構成されたリベット部材位置決め用の開閉自在な下部チャック３３とを備えている。下部チャック３３は、スプリング３４によって閉じ状態に付勢された左右一対の部材から成り、左右一対の部材の相対向する側面には、プッシャー２１の下段の押圧用板部２１ｂによって送り込まれるリベット部材Ａの断面形状に対応するガイド溝と、ガイド溝終端（受け台３２の真上）に位置する円形穴部とが形成されており、円形穴部の内径はリベット部材Ａの頭部の直径よりも若干大径に形成されている。３５は下部チャック３３の上下動をガイドするガイド板であり、ブロック状フレーム４の下部前面に２本のピン３６で位置決めされ、ボルト３７により固定されている。
【００３４】
下部チャック３３における左右一対の部材の下端部は、揺動アーム３９の前端に挿抜自在なピン４０で枢着されており、揺動アーム３９が揺動することによって、下部チャック３３がスプリング３４に抗して左右に開きつつ下降するように構成されている。
【００３５】
従って、前記受け具８と前記打込み具９との間に衣服の端縁などのシート状部材を介在させた状態で、打込み具９を下降させることにより、上部チャック２３が嵌合用部材Ｂを保持した状態で下降し、上部チャック２３が下部チャック３３で支持されたシート状部材に当接した後も、打込み具本体２２が更に下降を続けることにより、前記ガイドパンチ２４が嵌合部材Ｂを押し下げるので、リベット部材Ａの突起がシート状部材を貫通して、嵌合部材Ｂの貫通孔に挿入されることになる。
【００３６】
この状態で、ガイドパンチ２４及びカシメパンチ２５が更に下降を続け、ガイドパンチ２４の下降が受け台３２で阻止された後も、カシメパンチ２５がガイドパンチ２４に対して下降することにより、カシメパンチ２５で突起先端部を打撃して拡径変形させ、前記リベット部材Ａと前記嵌合用部材Ｂとをシート状部材を挟んだ状態にカシメ止めすることになる。
【００３７】
尚、図４においては、嵌合用部材Ｂとして、雄型の嵌合用部材Ｂを図示したが、ガイドパンチ２５及びカシメパンチ２６を雌スナップ用のものと交換することにより、雌型の嵌合用部材Ｂとリベット部材Ａのカシメ止めを行うことができる。即ち、スナップファスナーは、雄スナップを形成するリベット部材Ａ及び雄型の嵌合用部材Ｂと、雌スナップを形成するリベット部材Ａ及び雌型の嵌合用部材Ｂの四部材で作製されるものであり、ガイドパンチ２５及びカシメパンチ２６の交換によって、雄スナップ、雌スナップの何れでも作製できるのである。
【００３８】
図１に示す７０はシート状部材を載置する作業台であり、本体フレーム１に着脱自在に装着されている。作業台７０には、シート状部材の後端縁を突き当てることが可能な位置決め用立ち上がり片７１が蝶ボルトとナットにより前後に位置調節可能な状態に装着されている。図３に示す７２は前記打込み具９の後方に配設されたマーキングプロジェクターであり、打込み具９が昇降ストロークの上端にあるとき、シート状部材の所定位置（シート状部材におけるリベット部材Ａの突起の真上位置）に十字状のスポットライトを照射するように構成してある。
【００３９】
第２シュート１３ｂの下端近傍部には、後半側シュート部材１３０Ｂの下面にビス止めしたブラケットを介してストッパー７６が枢着されている。このストッパー７６は、支点となる縦方向のボルト７７周りに回動させることにより、最下端に位置するリベット部材Ａと下から２番目のリベット部材Ａとの間に突入した流出阻止状態（図６参照）と、前記リベット部材Ａ，Ａ間から退出した流出許容状態（図５参照）とに切換え可能に構成されている。
【００４０】
従って、異なる色のリベット部材Ａや突起長さの異なるリベット部材Ａに変更する一つ前のスナップファスナーを取り付ける直前に、流出許容状態にあったストッパー７６を流出阻止状態に切り換え、この状態で、スナップファスナーの取付け作業を行うと、第２シュート１３ｂからのリベット部材Ａの流出が無いので、プッシャー２１の上段の押圧用板部２１ａは嵌合用部材Ｂを打込み具９に送り込むが、図３、図６に示すように、下段の押圧用板部２１ｂは受け具８に空送りすることになり、受け具８にリベット部材が支持されていない状態となる。そのため、受け具８から不要なリベット部材を取り出す手間が要らず、色や突起長さＨ，ｈの異なるリベット部材Ａを手動（ピンセット）で受け具８に容易かつ敏速に装填することができる。
【００４１】
７８はストッパー７６を押圧して摩擦力によって上記二状態に固定するコイルスプリング、７９はバネ圧調整用ナットである。ストッパー７６には、指先を係止させるための操作用開口部７６ａが形成されている。８０ａは第１シュート１３ａの先端の蓋部材、８０ｂは第２シュート１３ｂの先端の蓋部材であり、これらの蓋部材８０ａ，８０ｂを取り外して、第１，第２シュート１３ａ，１３ｂの先端を開放することにより、シュート内部の嵌合部材Ｂやリベット部材Ａを抜き取ることができる。８１は蓋部材８０ａの固定用ボルト、８２は蓋部材８０ｂの固定用板バネ、８３は位置決め用突起である。
【００４２】
上記の構成によれば、第１シュート１３ａ及び第２シュート１３ｂを、夫々、幅方向において前後に二つ割された構造としたので、つまり、第１シュート１３ａ及び第２シュート１３ｂの夫々を、前半側シュート部材１３０Ａと後半側シュート部材１３０Ｂに分割形成し、それを連結する構造としたので、一体物の第１シュート及び第２シュートに嵌合用部材やリベット部材の断面形状に対応するガイド溝を刻設する場合に比して、第１シュート１３ａ及び第２シュート１３ｂの製造が容易であり、しかも、第１シュート１３ａ及び第２シュート１３ｂの互いに連結される前半側シュート部材１３０Ａ及び後半側シュート部材１３０Ｂのうち、前半側シュート部材１３０Ａを透明材料製としたので、第１シュート１３ａ内に残留する嵌合用部材Ｂや第２シュート１３ｂ内に残留するリベット部材Ａを目視できる。
【００４３】
殊に、第１シュート１３ａ及び第２シュート１３ｂの後半側シュート部材１３０Ｂを夫々金属製としたので、前半側シュート部材１３０Ａを透明合成樹脂で製造しても、それに連結された金属製の後半側シュート部材１３０Ｂが補強部材となって、透明合成樹脂製前半側シュート部材１３０Ａの温度変化等による変形を防止できる。また、前半側シュート部材１３０Ａ及び後半側シュート部材１３０Ｂの夫々を透明合成樹脂で製造すると、ネジ孔（雌ネジ状の孔）の加工やネジ止めによる連結が困難になるが、この実施形態では、後半側シュート部材１３０Ｂを金属製としたので、後半側シュート部材１３０Ｂにネジ孔１３１を加工し、透明合成樹脂製の前半側シュート部材１３０Ａには、それに対応する貫通孔を形成することによって、両シュート部材１３０Ａ，１３０Ｂのネジ止めによる連結が可能であり、この面でも、第１シュート１３ａ及び第２シュート１３ｂの製造が容易である。
【００４４】
図１３、図１４は、本考案の他の実施形態を示し、第１シュート１３ａ及び第２シュート１３ｂの互いに連結される前半側シュート部材１３０Ａ及び後半側シュート部材１３０Ｂの夫々を透明合成樹脂製とした点に特徴がある。この場合、前半側シュート部材１３０Ａと後半側シュート部材１３０Ｂとの連結は、両者１３０Ａ，１３０Ｂが樹脂製でネジが利かないため、一方に形成した突起ａを他方に形成した貫通孔ｂに挿通し、その突出先端部を拡径変形（フランジ付け）させることによって行われる。その他の構成は、図１〜図１２の実施形態と同じであるため、説明を省略する。
【００４５】
図１５、図１６は、本考案の他の実施形態を示す。この実施形態は、二つのホッパー１２Ａ，１２Ｂのうち、一方に雄型の嵌合用部材Ａを収容し、他方に雌型の嵌合用部材Ａを収容し、両ホッパー１２Ａ，１２Ｂに連なる二つのシュート１３Ａ，１３Ｂには、夫々、シュート内のガイド溝を開閉するシャッターの操作レバー１３２ａ，１３２ｂを設け、リベット部材Ｂを手動で受け具８に供給し、打込み具９に雄型の嵌合用部材Ａと雌型の嵌合用部材Ａを選択的に自動供給する形式のスナップファスナー取付け機における二つのシュート１３Ａ，１３Ｂに本考案を適用した点に特徴がある。
【００４６】
即ち、このスナップファスナー取付け機では、二つのホッパー１２Ａ，１２Ｂが左右方向に相対峙して設けられており、一方のホッパー１２Ａには、雄型の嵌合用部材Ｂを収容し、他方のホッパー１２Ｂには、雌型の嵌合用部材Ｂを収容するように構成されている。両ホッパー１２Ａ，１２Ｂに連なるシュート１３Ａ，１３Ｂには、夫々、シュート１３Ａ，１３Ｂ内のガイド溝を開閉するシャッターの操作レバー１３２ａ，１３２ｂが設けられており、操作レバー１３２ａ，１３２ｂの操作によって、雄型の嵌合用部材Ｂと雌型の嵌合用部材Ｂとを選択的に流下供給するように、つまり、雄スナップの取付け作業を行う場合には、雄型の嵌合用部材Ｂを流下供給し、雌スナップの取付け作業を行う場合には、雌型の嵌合用部材Ｂを流下供給するように構成されている。
【００４７】
両シュート１３Ａ，１３Ｂは、図１６に示すように、１本のシュートの横幅程度、前後に位置をずらして配設されている。両シュート１３Ａ，１３Ｂの下端には、嵌合用部材Ｂの送り出し溝ｃを形成したガイドレール１３３が前後方向に設けられており、両シュート１３Ａ，１３Ｂのガイド溝は、ガイドレール１３３に形成した送り出し溝ｃと前後に異なる位置で接続されている。何れかのシュート１３Ａ，１３Ｂの下端まで流下供給された嵌合用部材Ｂは、打込み具９の昇降に連動して前後方向に往復移動するように構成されたプッシャー２１Ａによって打込み具９に送り込まれるように構成されている。この実施形態では、リベット部材Ａを受け具８に手動で供給するため、図１５に示すように、チャックは、打込み具９にのみ設けられており、受け具８にはチャックが設けられていない。
【００４８】
この実施形態は、このような構成のスナップファスナー取付け機において、両シュート１３Ａ，１３Ｂの夫々を、幅方向において前後に二つ割された構造とし、両シュート１３Ａ，１３Ｂの互いに連結される前半側シュート部材１３０Ａ及び後半側シュート部材１３０Ｂのうち、前半側シュート部材１３０Ａを透明合成樹脂、透明ガラス等の透明材料製とし、後半側シュート部材１３０Ｂを金属製としたものである。
【図面の簡単な説明】
【００４９】
【図１】本発明の実施形態を示すスナップファスナー取付け機の斜視図である。
【図２】要部の縦断正面図である。
【図３】要部の縦断側面図である。
【図４】要部の拡大正面図である。
【図５】要部の平面図である。
【図６】要部の平面図である。
【図７】第１シュートの正面図である。
【図８】第１シュートの底面図である。
【図９】図７のＡ−Ａ断面図である。
【図１０】第２シュートの正面図である。
【図１１】第２シュートの底面図である。
【図１２】図１０のＢ−Ｂ断面図である。
【図１３】他の実施形態を示す第１シュートの断面図である。
【図１４】他の実施形態を示す第２シュートの断面図である。
【図１５】他の実施形態を示す要部の正面図である。
【図１６】他の実施形態を示す要部の斜視図である。
【符号の説明】
【００５０】
Ａ  リベット部材
Ｂ  嵌合用部材
１２ａ  第１ホッパー
１２ｂ  第２ホッパー
１２Ａ，１２Ｂ  ホッパー
１３ａ  第１シュート
１３ｂ  第２シュート
１３Ａ，１３Ｂ  シュート
１３０Ａ  前半側シュート部材
１３０Ｂ  後半側シュート部材
【図１】
0003124434.tif 000003
【図２】
0003124434.tif 000004
【図３】
0003124434.tif 000005
【図４】
0003124434.tif 000006
【図５】
0003124434.tif 000007
【図６】
0003124434.tif 000008
【図７】
0003124434.tif 000009
【図８】
0003124434.tif 000010
【図９】
0003124434.tif 000011
【図１０】
0003124434.tif 000012
【図１１】
0003124434.tif 000013
【図１２】
0003124434.tif 000014
【図１３】
0003124434.tif 000015
【図１４】
0003124434.tif 000016
【図１５】
0003124434.tif 000017
【図１６】
0003124434.tif 000018